(57)【要約】【課題】垂直方向の振動、鉛直回りの揺動が過度衝撃的に生じた場合でも、これらの振動を吸収する緩衝効果と弾性による復元力とを向上し、建築物の損壊を効率的に防止する。【解決手段】交差する建築物構造材（Ｐ１，Ｐ２）の相互間に跨って斜片状に固定配置するよう両端に弾性体による緩衝部材４を介して取付可能な当接部５を備えた第一金具２と、当該第一金具２の両端に円弧状に連結するよう中間部分が外側に向けて彎曲している円弧部６を形成して成り、第一金具２と共に建築物構造材（Ｐ１，Ｐ２）に固定される第二金具３とを備える。建築物構造材（Ｐ１，Ｐ２）は、例えば基礎Ｐ上に載置される土台Ｐ１，Ｐ２のものとし、第一金具２、第二金具３それぞれの両端の当接部５は相互に重ね合わされて、土台Ｐ１，Ｐ２部分に対してはコーチボルト等のタッピングネジ１１によって固定する。【選択図】          図１
2004150154.tif 000002
【特許請求の範囲】
【請求項１】
交差する建築物構造材の相互間に跨って斜片状に固定配置されるよう両端に弾性体による緩衝部材を介して建築物構造材に取付可能な当接部を備えた第一金具と、当該第一金具の両端に円弧状に連結されるよう中間部分が外側に向けて彎曲している円弧部を形成して成り、第一金具と共に建築物構造材に固定される第二金具とを備えたことを特徴とする建築物耐震用連結補強金具。
【請求項２】
交差する建築物構造材の相互間に渡って当接固定されるよう弾性体による緩衝部材を介して建築物構造材に取付可能な当接部を備えた略Ｌ字状の第一金具と、当該第一金具の両端に円弧状に連結されるよう中間部分が外側に向けて彎曲している円弧部を形成して成り、第一金具と共に建築物構造材に固定されるる第二金具とを備えたことを特徴とする建築物耐震用連結補強金具。
【請求項３】
左右に配置する建築物構造材の相互間に渡って当接固定されるよう弾性体による緩衝部材を介して建築物構造材に取付可能な当接部を備えた略直線状の第一金具と、当該第一金具の両端に円弧状に連結されるよう中間部分が外側に向けて彎曲している円弧部を形成して成り、第一金具と共に建築物構造材に固定されるる第二金具とを備えたことを特徴とする建築物耐震用連結補強金具。
【請求項４】
上下に配置する建築物構造材の相互間に渡って当接固定されるよう弾性体による緩衝部材を介して建築物構造材に取付可能な当接部を備えた略Ｔ字状の第一金具と、当該第一金具の両端に円弧状に連結されるよう中間部分が外側に向けて彎曲している円弧部を形成して成り、第一金具と共に建築物構造材に固定される第二金具とを備えたことを特徴とする建築物耐震用連結補強金具。
【請求項５】
交差する、もしくは左右に配置する建築物構造材は、共に土台を構成するものである請求項１乃至３のいずれか記載の建築物耐震用連結補強金具。
【請求項６】
上下に配置する建築物構造材は、下側の基礎と、この基礎上に載置される土台とによって構成するものである請求項４記載の建築物耐震用連結補強金具。
【請求項７】
第一金具、第二金具それぞれの当接部は相互に重ね合わされて、土台部分に対しては、コーチボルト等のタッピングネジによって固定されるものとした請求項１乃至６のいずれか記載の建築物耐震用連結補強金具。
【請求項８】
第一金具、第二金具それぞれの当接部は、基礎部分に対してはアンカーボルトによって固定されると共に、このアンカーボルトは、当該基礎に予め開穿形成された穿孔部に嵌装され、端部に複数の割溝を有する埋込軸部と、埋込軸部側に打ち込ませることにより割溝を介して拡開させた当該埋込軸部を基礎に固着させるようボルト軸部先端から埋込軸部内部にわたって貫挿配置させた打撃用ピン部とを備え、当接部に形成された固定孔にボルト軸部を挿通させ、ボルト軸部にナット部材をねじ込ませて当接部を締め付け固定させるものとした請求項１乃至７のいずれか記載の建築物耐震用連結補強金具。
【発明の詳細な説明】
【０００１】
【発明の属する技術分野】
本発明は、建築物の基礎上に載置された土台の隅角部、あるいは基礎とこの基礎上に載置された土台とをさらには土台と柱とを連結することで、地震時等の震動を吸収して建築物の耐震性を向上させるようにした建築物耐震用連結補強金具に関するものである。
【０００２】
【従来の技術】
従来、この種の耐震用の連結補強金具としては、平板材を略直角に折曲してなるＬ形基材と、このＬ形基材の折曲部に形成された巻回状の補強部と、前記Ｌ形基材の複数箇所に係止されるよう弾性特性、耐水性が良好なゴム材料よりなる緩衝部材とから構成され、Ｌ形基材の両片部に係止させた緩衝部材を土台および柱の側面に当接させてタッピングネジ等によって締結固定する耐震補強金具が提案されている。
【０００３】
また、家屋の基礎コンクリートスラブと木製土台とを固定するための土台接合部として、木製土台の上面部と側面部とを覆う略Ｌ形板状の土台把持片と、前記基礎コンクリートスラブの側壁に固定する平板状のスラブ固定片と、これらの土台把持片とスラブ固定片とを接続するボルト等の連結具とからなり、前記土台把持片の一側に設けたネジ孔部と、これに対向して前記スラブ固定片の一側に設けたネジ孔部とを連結具を介して接続固定するようにした土台金具も提案されている。
【０００４】
【発明が解決しようとする課題】
しかしながらこれらのような従来における連結補強金具では、例えば耐震補強金具の場合では、Ｌ形基材の全体形状が略Ｌ形を呈しているだけであるため、垂直方向の振動、鉛直回りの揺動を吸収する効果は不十分であった。
【０００５】
また、土台金具の場合では、土台把持片とスラブ固定片とはそれぞれ別体構成とし、しかも土台把持片の一側に設けたネジ孔部と、前記スラブ固定片の一側に設けたネジ孔部とを、ボルト等の連結具を介して接続固定してあるだけであるため、垂直方向の振動、鉛直回りの揺動が過度衝撃的に生じた場合、これらの振動を吸収することは不十分なものとなり、最終的には連結具であるボルトのねじ締結強度が緩んで破断することで土台把持片、スラブ固定片相互の接続が破壊してしまう虞れがある等の問題点を有していた。
【０００６】
そこで本発明は叙上のような従来存した諸事情に鑑み創出されたもので、垂直方向の振動、鉛直回りの揺動が過度衝撃的に生じた場合でも、これらの振動を吸収する緩衝効果と弾性による復元力とを向上させ、建築物の損壊を効率的に防止できるものとした建築物耐震用連結補強金具を提供することを目的とする。
【０００７】
【課題を解決するための手段】
上述した課題を達成するため、本発明にあっては、交差する建築物構造材（Ｐ１，Ｐ２）の相互間に跨って斜片状に固定配置されるよう両端に弾性体による緩衝部材４を介して建築物構造材（Ｐ１，Ｐ２）に取付可能な当接部５を備えた第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えたものである。
交差する建築物構造材（Ｐ１，Ｐ２）の相互間に渡って当接固定されるよう弾性体による緩衝部材４を介して建築物構造材（Ｐ１，Ｐ２）に取付可能な当接部５を備えた略Ｌ字状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えた構成とすることができる。
左右に配置する建築物構造材（Ｐ１，Ｐ２）の相互間に渡って当接固定されるよう弾性体による緩衝部材４を介して建築物構造材（Ｐ１，Ｐ２）に取付可能な当接部５を備えた略直線状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えた構成とすることができる。
上下に配置する建築物構造材（Ｐ１，Ｐ２，Ｐ）の相互間に渡って当接固定されるよう弾性体による緩衝部材４を介して建築物構造材（Ｐ１，Ｐ２，Ｐ）に取付可能な当接部５を備えた略Ｔ字状の第一金具２と、当該第一金具２の両端に円弧状に連結されるよう中間部分が外側に向けて彎曲している円弧部６を形成して成り、第一金具２と共に建築物構造材（Ｐ１，Ｐ２，Ｐ）に固定される第二金具３とを備えた構成とすることができる。
交差する、もしくは左右に配置する建築物構造材（Ｐ１，Ｐ２）は、共に土台を構成するものとすることができる。
上下に配置する建築物構造材（Ｐ１，Ｐ２，Ｐ）は、下側の基礎Ｐと、この基礎Ｐ上に載置される土台Ｐ１，Ｐ２とによって構成することができる。
第一金具２、第二金具３それぞれの当接部５は相互に重ね合わされて、土台Ｐ１，Ｐ２部分に対してはコーチボルト等のタッピングネジ１１によって固定されるものとすることができる。
第一金具２、第二金具３それぞれの当接部５は、基礎Ｐ部分に対してはアンカーボルト２１によって固定されると共に、このアンカーボルト２１は、当該基礎Ｐに予め開穿形成された穿孔部に嵌装され、端部に複数の割溝２３を有する埋込軸部２２と、埋込軸部２２側に打ち込ませることにより割溝２３を介して拡開させた当該埋込軸部２２を基礎Ｐに固着させるようボルト軸部２４先端から埋込軸部２２内部にわたって貫挿配置させた打撃用ピン部２５とを備え、当接部５に形成された固定孔にボルト軸部２４を挿通させ、ボルト軸部２４にナット部材２６をねじ込ませて当接部５を締め付け固定させるものとできる。
【０００８】
以上のように構成された本発明に係る建築物耐震用連結補強金具において、第一金具２は、当接部５に取り付けられた緩衝部材４を介して、例えば基礎Ｐ上に載置された土台Ｐ１，Ｐ２の隅角部等の如く、交差する建築物構造材の相互間に跨って斜片状に配置される。
また、略Ｌ字状の第一金具２は、当接部５に取り付けられた緩衝部材４を介して、例えば基礎Ｐ上に載置された土台Ｐ１，Ｐ２の隅角部の如く、交差する建築物構造材の相互間に渡って当接配置される。
また、略直線状の第一金具２は、当接部５に取り付けられた緩衝部材４を介して、例えば基礎Ｐ上に載置された土台Ｐ１，Ｐ２同士の接合された直線接合部の如く、接合状態で隣接配置する建築物構造材の相互間に渡って当接配置される。また、略Ｔ字状の第一金具２は、当接部５に取り付けられた緩衝部材４を介して、例えば下側の基礎Ｐとこの基礎Ｐ上に載置される土台Ｐ１，Ｐ２等の如く、上下に配置する建築物構造材の相互間に渡って当接配置される。
一方、中間部分が外側に向けて彎曲している円弧部６を形成して成る第二金具３は、土台Ｐ１，Ｐ２部分に対してはコーチボルト等のタッピングネジ１１によって、基礎Ｐ部分に対してはアンカーボルト２１によって、交差する建築物構造材の相互間に跨って斜片状に配置され、第一金具２の両端にそれぞれの当接部５を重ね合わせ状態で円弧状に連結されて土台Ｐ１，Ｐ２部分・基礎Ｐ部分に固定される。
また、基礎Ｐ部分においては当該基礎Ｐに予め開穿形成された穿孔部に対し、アンカーボルト２１の端部に形成された複数の割溝２３を有する埋込軸部２２が嵌挿されて、ボルト軸部２４先端から貫挿配置させた打撃用ピン部２５を埋込軸部２２側に打ち込ませることにより割溝２３を介して拡開させた当該埋込軸部２２によって基礎Ｐ部分に固定させ、当該アンカーボルト２１のボルト軸部２４を、当接部５に形成された固定孔に挿通させてからボルト軸部２４にナット部材２６をねじ込ませることで当接部５を締め付け固定させる。
【０００９】
【発明の実施の形態】
以下図面を参照して本発明の実施の形態を説明すると、図１乃至図３において示される第一の実施の形態における符号１は、弾性体による緩衝部材４を介して、建築物の基礎Ｐ上において略直角に組み込まれた土台Ｐ１，Ｐ２同士の隅角部に跨って連結したり、あるいは略直線状に組み込まれた土台Ｐ１，Ｐ２同士の直線接合部に渡って連結したりすることで、地震時等の震動を吸収して建築物の耐震性を向上させるための建築物耐震用の連結補強金具本体である。
【００１０】
この連結補強金具本体１は、図１に示すように、交差する建築物構造材、例えば建築物の基礎Ｐ上において例えば蟻溝軸組等により略直角に組み込まれた土台Ｐ１，Ｐ２同士の隅角部に跨って斜片状に固定配置されるよう両端に、例えば弾性特性や耐水性が良好なイソプレンゴム・ブタジエンゴム等のゴム材料より成る弾性体による緩衝部材４を介して土台Ｐ１，Ｐ２に取付可能な当接部５を備えた鉄鋼製の第一金具２と、当該第一金具２の両端に円弧状に連結されるよう中間部分が外側に向けて彎曲している湾曲されていることで円弧部６を形成して成り、第一金具２と共に建築物構造材Ｐ１，Ｐ２に固定される鉄鋼製の第二金具３とを備えている。
【００１１】
すなわち、第一金具２は、帯板状の中央の斜片部７と、斜片部７の両端から略４５°の角度でもって延設されることで、緩衝部材４を介在させて土台Ｐ１，Ｐ２面側に当接されるようにした略矩形平面状の当接部５とから成り、両当接部５の中央には、例えばコーチボルト等のタッピングネジ１１を挿入して土台Ｐ１，Ｐ２に固定するための固定用孔部８を穿設してある。
【００１２】
また、第二金具３は帯板状で、この第二金具３自体の長手方向に対して直角な幅員が第一金具２よりも若干小さく形成され、円弧状に湾曲させた中央の円弧部６と、円弧部６の両端から略４５°の角度でもって延設されることで第一金具２の当接部５に当接されるようにした略矩形平面状の当接部５とから成り、両当接部５の中央には、前記第一金具２の当接部５の固定用孔部８と合致させてからタッピングネジ１１を挿入して土台Ｐ１，Ｐ２に固定するための固定用孔部８を穿設してある。尚、当接部５における固定用孔部８は第一金具２の当接部５における固定用孔部８と、それぞれの当接部５が重ね合わされたときは互いに合致する位置のものとしてあり、また必要があれば、第一金具２、第二金具３それぞれの当接部５は溶接等によって一体的に固着されることもある。
【００１３】
さらに、緩衝部材４は、図３に示すように、第一金具２の当接部５に端部側から装着できるよう両側部に鍵状の係止部４Ａを一体形成し、中央部には、第一金具２・第二金具３の当接部５それぞれの固定用孔部８に裏側から合致させた状態にしてから表側からタッピングネジ１１を挿入して土台Ｐ１，Ｐ２に固定するための固定用孔部８を穿設してある。また、土台Ｐ１，Ｐ２に当接される緩衝部材４の外面箇所には、滑り止め用の例えば縦方向に沿って互いに複数条に隣接配置した溝部４Ｂを形成してある。尚、緩衝部材４の両側部にある係止部４Ａ相互間の開口部の間隔は、第二金具３の当接部５の長手方向に対して直角な幅員と略同じになるように形成してある。
【００１４】
次に以上のように構成された実施の形態についての使用、組立の一例を説明するに、図１に示すように、先ず第一金具２の当接部５に緩衝部材４を端部側から装着しておく。そして、第一金具２の斜片部７に対して第二金具３の円弧部６が外側に湾曲する状態となるように、緩衝部材４の両側部にある係止部４Ａ相互間の開口部に第二金具３の当接部５を配置させて、第一金具２の当接部５上面に当接配置させる。このとき、第一金具２、第二金具３、緩衝部材４それぞれの固定用孔部８は互いに合致させた状態としておく。次に、これら第一金具２、第二金具３、緩衝部材４それぞれが組み合わされて成る連結補強金具本体１を建築物の基礎Ｐ上で、蟻溝軸組等により略直角に組み込まれた土台Ｐ１，Ｐ２同士の隅角部に跨って配置させておき、固定用孔部８にタッピングネジ１１を挿入して土台Ｐ１，Ｐ２にねじ込み固定する（図２参照）。
【００１５】
図４、図５には本発明に係る第二の実施の形態が示されており、第一の実施の形態における構成と略同じ部分には同じ符号を付してあることでその詳細な説明を省略してある。本実施の形態においては、交差する建築物構造材（Ｐ１，Ｐ２）の相互間に渡って当接固定されるよう弾性体による緩衝部材４を介して建築物構造材に取付可能な当接部５を備えた略Ｌ字状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えている。
【００１６】
すなわち、第一金具２は、蟻溝軸組等により略直角に組み込まれた土台Ｐ１，Ｐ２同士の隅角部の内側に当接配置されるよう帯板を略直角に折り曲げて略Ｌ字状に形成することで、第一金具２の一側面全体が、緩衝部材４を介して取付可能な当接部５となるように形成してある。また、緩衝部材４は、Ｌ字状帯板の左右片の当接部５に対してそれぞれ２個づつが取り付けられ、これに対応して、固定用孔部８も左右片にそれぞれ２個づつ穿設してある。
【００１７】
組み付けに際し、先ず第一金具２の左右片の当接部５に対し、それぞれ２個の緩衝部材４を端部側から装着しておく。このとき、第一金具２、緩衝部材４それぞれの固定用孔部８は互いに合致させた状態としておく。そして、第一金具２のＬ字状折曲箇所寄りにある２つの固定用孔部８にタッピングネジ１１を挿入して土台Ｐ１，Ｐ２にねじ込み固定しておく。そして、第一金具２のＬ字状折曲箇所に対して第二金具３の円弧部６が外側に湾曲する状態となるように、第一金具２の外側に位置する緩衝部材４の両側部にある係止部４Ａ相互間の開口部に第二金具３の当接部５を配置し、第一金具２の当接部５上面に当接配置させておいてから、２つの固定用孔部８にタッピングネジ１１を挿入して土台Ｐ１，Ｐ２にねじ込み固定する（図４参照）。
【００１８】
図６、図７には本発明に係る第三の実施の形態が示されており、第一の実施の形態における構成と略同じ部分には同じ符号を付してあることでその詳細な説明を省略してある。本実施の形態においては、左右に配置する建築物構造材（Ｐ１，Ｐ２）の相互間に渡って当接固定されるよう両端に弾性体による緩衝部材４を介して建築物構造材に取付可能な当接部５を備えた略直線状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えている。
【００１９】
すなわち、第一金具２は、左右あるいは前後で接合状態にて隣接配置する建築物構造材、例えば建築物の基礎Ｐ上において土台Ｐ１，Ｐ２端部同士を互いに対向合致すべく例えばＬ形状に切り出した軸組継手形状部等により略直線状に組み込まれた土台Ｐ１，Ｐ２同士に渡って緩衝部材４を介して当接配置されるよう略直線状の帯板形状とし、この第一金具２の一側面全体が、緩衝部材４を介して土台Ｐ１，Ｐ２に取付可能な当接部５となるように形成してある。また、緩衝部材４は、帯板の当接部５に対して合計４個が取り付けられ、これに対応して、固定用孔部８も合計４個を穿設してある。
【００２０】
組み付けに際し、先ず第一金具２の当接部５に対し、４個の緩衝部材４を端部側から装着しておく。このとき、第一金具２、緩衝部材４それぞれの固定用孔部８は互いに合致させた状態としておく。そして、第一金具２の中央寄りにある２つの固定用孔部８にタッピングネジ１１を挿入して土台Ｐ１，Ｐ２にねじ込み固定しておく。そして、第一金具２の中央部に対して第二金具３の円弧部６が外側に湾曲する状態となるように、第一金具２の外側に位置する緩衝部材４の両側部にある係止部４Ａ相互間の開口部に第二金具３の当接部５を配置し、第一金具２の当接部５上面に当接配置させておいてから、２つの固定用孔部８にタッピングネジ１１を挿入して土台Ｐ１，Ｐ２にねじ込み固定する（図６参照）。
【００２１】
図８乃至図１２には本発明に係る第四の実施の形態が示されており、第一の実施の形態における構成と略同じ部分には同じ符号を付してあることでその詳細な説明を省略してある。本実施の形態においては、図８に示すように、上下に配置する建築物構造材、例えば基礎Ｐと、この基礎Ｐ上に載置される土台Ｐ１，Ｐ２との相互間に渡って当接固定されるよう弾性体による緩衝部材４を介して基礎Ｐ，土台Ｐ１，Ｐ２に取付可能な当接部５を備えた上側の水平板部２Ａと下側の垂直板部２Ｂとから成る略Ｔ字状の第一金具２と、当該第一金具２の水平板部２Ａ中央と垂直板部２Ｂ中央に跨って円弧状に連結されるよう中間部分が外側に向けて彎曲している円弧部６を形成して成り、第一金具２と共に建築物構造材（Ｐ１，Ｐ２，Ｐ）に固定される第二金具３とを備えた構成とする。
【００２２】
すなわち、第一金具２は、図１０に示すように、水平板部２Ａに３つの固定用孔部８が略等間隔に穿設され、垂直板部２Ｂの下側寄りに２つの固定用孔部８が穿設されており、このうち水平板部２Ａの固定用孔部８は、基礎Ｐ上に載置されている土台Ｐ１，Ｐ２側面に当接配置され、垂直板部２Ｂの固定用孔部８は、基礎Ｐ側面に当接配置されるよう第一金具２の一側面全体が、緩衝部材４を介して取付可能な当接部５となるように形成してある。
【００２３】
また、第二金具３は、中央の円弧部６に対して両当接部５の一方側が第一金具２の水平板分中央の固定用孔部８に合致し、他方側が第一金具２の垂直板部２Ｂの上側の固定用孔部８に合致するようにして当接配置されることで、第一金具２の水平板部２Ａ中央と垂直板部２Ｂ中央とに跨って円弧状に連結されるように形成されている。
【００２４】
また、緩衝部材４は、水平板部２Ａに対しては、第一金具２の当接部５に裏側から撓曲させた状態にして装着できるよう横長帯板状の左右側において上下に鍵状の係止部４Ａを対向形成し、第一金具２・第二金具３の当接部５それぞれの固定用孔部８に裏側から合致させた状態にしてから表側からタッピングネジ１１を挿入するための固定用孔部８を穿設してある。
【００２５】
一方、垂直面部に対しては、２つの固定用孔部８に対応して２つの緩衝部材４が下端部側から装着できるよう当該緩衝部材４の両側部に鍵状の係止部４Ａを一体形成し、上側に位置する緩衝部材４の中央部には、第一金具２・第二金具３それぞれの固定用孔部８に裏側から合致させた状態にしてから表側からアンカーボルト２１を挿入して基礎Ｐに固着するための固定用孔部８を穿設してある。また、下側に位置する緩衝部材４の中央部には、第一金具２の固定用孔部８に裏側から合致させた状態にしてから表側からアンカーボルト２１を挿入して基礎Ｐに固着するための固定用孔部８を穿設してある。
【００２６】
尚、このアンカーボルト２１は、基礎Ｐに予め取り付けておき、後から第一金具２・第二金具３の固定用孔部８を挿通させてから、略ハット形状のナット部材２６によって固定しても良いことは勿論である。
【００２７】
また、図１１に示すように、土台Ｐ１，Ｐ２に当接される緩衝部材４の外面箇所には、滑り止め用の例えば縦方向に沿って互いに複数条に隣接配置した溝部４Ｂを形成し、一方、基礎Ｐに当接される緩衝部材４の外面箇所には、滑り止め用の例えば横方向に沿って互いに複数の凹凸条に隣接配置した溝部４Ｂを形成してある。
【００２８】
上記したように第一金具２、第二金具３それぞれの両端の当接部５は、土台Ｐ１，Ｐ２部分に対してはコーチボルト等のタッピングネジ１１によって固定され、基礎Ｐ部分に対してはアンカーボルト２１によって固定されるものとする。このアンカーボルト２１は、図１２に示すように、例えば基礎Ｐに予め開穿形成された穿孔部に嵌装され、端部に複数の割溝２３を有する埋込軸部２２と、埋込軸部２２側に打ち込ませることにより割溝２３を介して拡開させた当該埋込軸部２２を基礎Ｐに固着させるようボルト軸部２４先端から埋込軸部２２内部にわたって貫挿配置させた打撃用ピン部２５と、当接部５に形成された固定孔にボルト軸部２４を挿通させ、ボルト軸部２４に略ハット形状のナット部材２６をねじ込ませて当接部５を締め付け固定させるものとする。
【００２９】
組み付けに際し、先ず第一金具２の水平板部分に対し、緩衝部材４を開口部側を開くように撓曲状態にして裏側から装着しておく。このとき、第一金具２、緩衝部材４それぞれの固定用孔部８は互いに合致させた状態としておく。そして、第一金具２の水平板分の左右寄りにある２つの固定用孔部８にタッピングネジ１１を挿入して土台Ｐ１，Ｐ２にねじ込み固定しておく。そして、第二金具３は、これの円弧部６が外側に湾曲する状態で、第一金具２の水平板部２Ａ中央と垂直板部２Ｂ中央とに跨って円弧状に連結されるよう、水平板部２Ａの中央に位置する固定用孔部８に第二金具３の一方の当接部５を当接配置し、垂直板部２Ｂの上側に位置する固定用孔部８に第二金具３の他方の当接部５を当接配置させておいてから、水平板部２Ａ中央と合致させた第二金具３の一方の当接部５の固定用孔部８にタッピングネジ１１を挿入して土台Ｐ１，Ｐ２にねじ込み固定し、垂直板部２Ｂ上側と合致させた第二金具３の他方の固定用孔部８にアンカーボルト２１を装着して基礎Ｐに固着させ、ナット部材２６によって固定する（図８、図９参照）。
【００３０】
また、アンカーボルト２１を基礎Ｐに予め取り付けておき、後から第一金具２・第二金具３の固定用孔部８を挿通させてナット部材２６によって固定する場合には、基礎Ｐに予め穿孔部を開穿形成しておき、この穿孔部に対し、アンカーボルト２１の端部に形成された複数の割溝２３を有する埋込軸部２２を挿入して、ボルト軸部２４先端から貫挿配置させた打撃用ピン部２５を埋込軸部２２側に打ち込ませるのであり、この打ち込みで割溝２３を拡開させることで当該埋込軸部２２によって基礎Ｐにアンカーボルト２１を固定しておく。そして、アンカーボルト２１のボルト軸部２４を、当接部５に形成された固定孔に挿通し、ボルト軸部２４にナット部材２６をねじ込み当接部５を締め付け固定する。このように建築物の基礎Ｐとこの基礎Ｐ上に載置された土台Ｐ１，Ｐ２とを連結することで、地震時等の震動を吸収して建築物の耐震性を向上させるものとしてある。
【００３１】
以上の実施の形態では、土台Ｐ１，Ｐ２同士、あるいは基礎Ｐと土台Ｐ１，Ｐ２とを連結固定する場合として説明したが、土台Ｐ１，Ｐ２と柱、柱と梁等の相互に連結される建築物構造材相互であれば建築物の組上げにおいてのいずれの部位であっても良く、同様に実施可能である。
【００３２】
【発明の効果】
本発明は以上のように構成されているために、垂直方向の振動、鉛直回りの揺動が過度衝撃的に生じた場合でも、これらの振動を吸収する緩衝効果と弾性による復元力とを向上させ、建築物の損壊を効率的に防止することができる。
【００３３】
すなわちこれは本発明が、交差する建築物構造材（Ｐ１，Ｐ２）の相互間に跨って斜片状に固定配置されるよう両端に弾性体による緩衝部材４を介して建築物構造材（Ｐ１，Ｐ２）に取付可能な当接部５を備えた第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えたからであり、これにより、第二金具３の円弧部６で垂直方向の振動、鉛直回りの揺動がともに効率良く吸収され、建築物の損壊を効率的に防止することができ、しかも交差する建築物構造材（Ｐ１，Ｐ２）に対する取付作業も簡単に行える。
【００３４】
また、交差する建築物構造材（Ｐ１，Ｐ２）の相互間に渡って当接固定されるよう弾性体による緩衝部材４を介して建築物構造材（Ｐ１，Ｐ２）に取付可能な複数の当接部５を備えた略Ｌ字状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えたので、第二金具３の円弧部６と、第一金具２の略Ｌ字状の当接部５とでもって垂直方向の振動、鉛直回りの揺動がともに効率良く吸収され、建築物の損壊を効率的に防止することができ、しかも交差する建築物構造材（Ｐ１，Ｐ２）に対する取付作業も簡単に行える。
【００３５】
左右に配置する建築物構造材（Ｐ１，Ｐ２）の相互間に渡って当接固定されるよう弾性体による緩衝部材４を介して取付可能な当接部５を備えた略直線状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えたので、第二金具３の円弧部６と、第一金具２の略直線状の当接部５とでもって垂直方向の振動、鉛直回りの揺動がともに効率良く吸収され、建築物の損壊を効率的に防止することができ、しかも左右に軸組されている建築物構造材（Ｐ１，Ｐ２）に対する取付作業も簡単に行える。
【００３６】
上下に配置する建築物構造材（Ｐ１，Ｐ２，Ｐ）の相互間に渡って当接固定されるよう弾性体による緩衝部材４を介して建築物構造材（Ｐ１，Ｐ２，Ｐ）に取付可能な当接部５を備えた略Ｔ字状の第一金具２と、当該第一金具２の両端に円弧状に連結されるよう中間部分が外側に向けて彎曲している円弧部６を形成して成り、第一金具２と共に建築物構造材（Ｐ１，Ｐ２）に固定される第二金具３とを備えたので、第二金具３の円弧部６と、第一金具２の略Ｔ字状の当接部５とでもって垂直方向の振動、鉛直回りの揺動がともに効率良く吸収され、建築物の損壊を効率的に防止することができ、しかも基礎Ｐと、基礎Ｐ上に載置されている土台Ｐ１，Ｐ２との建築物構造材に対する取付作業も簡単に行える。
【００３７】
交差する、もしくは左右に配置する建築物構造材（Ｐ１，Ｐ２）は、共に土台Ｐ１，Ｐ２を構成するものとしたので、互いに軸組されている土台Ｐ１，Ｐ２同士の損壊を効率的に防止することができる。
【００３８】
上下に配置する建築物構造材（Ｐ１，Ｐ２，Ｐ）は、下側の基礎Ｐと、この基礎Ｐ上に載置される土台Ｐ１，Ｐ２とによって構成するものとしたので、基礎Ｐと土台Ｐ１，Ｐ２との接合部分の損壊を効率的に防止することができる。
【００３９】
第一金具２、第二金具３それぞれの両端における当接部５は相互に重ね合わされて、土台Ｐ１，Ｐ２部分に対してはコーチボルト等のタッピングネジ１１によって固定されるものとしたので、土台Ｐ１，Ｐ２に対する第一金具２、第二金具３の取付作業を簡単に行える。
【００４０】
第一金具２、第二金具３それぞれの両端の当接部５は、基礎Ｐ部分に対してはアンカーボルト２１によって固定されると共に、このアンカーボルト２１は、当該基礎Ｐに予め開穿形成された穿孔部に嵌装され、端部に複数の割溝２３を有する埋込軸部２２と、埋込軸部２２側に打ち込ませることにより割溝２３を介して拡開させた当該埋込軸部２２を基礎Ｐに固着させるようボルト軸部２４先端から埋込軸部２２内部にわたって貫挿配置させた打撃用ピン部２５とを備え、当接部５に形成された固定孔にボルト軸部２４を挿通させ、ボルト軸部２４にナット部材２６をねじ込ませて当接部５を締め付け固定させるものとしたので、基礎Ｐと土台Ｐ１，Ｐ２に対して第一金具２、第二金具３それぞれの当接部５を堅固に固定することができ、しかも基礎Ｐおよび土台Ｐ１，Ｐ２に対する第一金具２、第二金具３の取付作業が簡単に行える。
【図面の簡単な説明】
【図１】本発明の第一の実施の形態における組付前の分解状態を含む組付時の斜視図である。
【図２】同じく組付状態の横断面図である。
【図３】同じく緩衝部材の背面側からみた斜視図である。
【図４】本発明の第二の実施の形態における組付状態の斜視図である。
【図５】同じく組付状態の横断面図である。
【図６】本発明の第三の実施の形態における組付状態の斜視図である。
【図７】同じく組付状態の横断面図である。
【図８】本発明の第四の実施の形態における組付状態の斜視図である。
【図９】同じく組付状態の縦断面図である。
【図１０】同じく連結補強金具本体の正面図である。
【図１１】同じく連結補強金具本体の背面図である。
【図１２】アンカーボルトとナット部材との分解斜視図である。
【符号の説明】
Ｐ…基礎                            Ｐ１，Ｐ２…土台
１…連結補強金具本体                ２…第一金具
２Ａ…水平板部                      ２Ｂ…垂直板部
３…第二金具                        ４…緩衝部材
４Ａ…係止部                        ４Ｂ…溝部
５…当接部                          ６…円弧部
７…斜片部                          ８…固定用孔部
１１…タッピングネジ
２１…アンカーボルト                ２２…埋込軸部
２３…割溝                          ２４…ボルト軸部
２５…打撃用ピン部                  ２６…ナット部材
【図１】
2004150154.tif 000003
【図２】
2004150154.tif 000004
【図３】
2004150154.tif 000005
【図４】
2004150154.tif 000006
【図５】
2004150154.tif 000007
【図６】
2004150154.tif 000008
【図７】
2004150154.tif 000009
【図８】
2004150154.tif 000010
【図９】
2004150154.tif 000011
【図１０】
2004150154.tif 000012
【図１１】
2004150154.tif 000013
【図１２】
2004150154.tif 000014